(57)【要約】  【課題】  部品点数が少なく、且つ簡単な構造で両面画像記録できるようにした画像記録装置を提供することを目的とするものである。  【解決手段】  記録ヘッドを備えた記録部ユニットと給紙カセット５との上下間に、Ｕターン搬送路９と、これにより搬送される用紙Ｐを支持するための用紙支持部を配置し、用紙支持部は、搬送方向上流側の副支持部材４６と搬送方向下流側の主支持部材４５とに分割する。その副支持部材４６もしくは主支持部材４５のいずれか一方もしくは双方を傾動させることにより、片面画像記録済の用紙Ｐを逆送りするときのみ開口する開口部５０が形成され、主支持部材４５よりも搬送方向下流側に配置された排紙ローラ対２１を逆転させることにより、前記片面画像記録済の用紙Ｐを反転搬送手段４８に向かって逆送し、Ｕターン搬送路９に導入して、片面画像記録済の用紙Ｐを画像記録手段の方向に再送する。  【選択図】  図８
2006327793.tif 000002
【特許請求の範囲】
【請求項１】
本体ケース内に設けられ、被記録媒体に画像を記録するための画像記録手段と、
前記画像記録手段より下方に設けられ、複数枚の被記録媒体を略水平状にて堆積させて収容可能な給紙カセットと、
前記給紙カセットの上方に配置され、前記堆積された被記録媒体から１枚ずつ分離にして給送する給送手段と、
前記給紙カセットから前記画像記録手段の下面と対向するように被記録媒体を搬送する上向きのＵターン搬送路と、
を備えた画像記録装置において、
前記画像記録手段と前記給紙カセットとの上下間に、搬送される被記録媒体を支持するための用紙支持部を配置し、
前記用紙支持部は、片面画像記録済の被記録媒体を逆送りするときのみ開口する開口部を備え、
前記開口部と前記Ｕターン搬送路との間には、前記片面画像記録済の被記録媒体を前記画像記録手段の方向に再送するための反転搬送手段が配置されていることを特徴とする画像記録装置。
【請求項２】
前記用紙支持部は、前記画像記録手段と前記給紙カセットとの上下間に、搬送される被記録媒体を支持するための用紙支持部材により構成され、
前記開口部は、前記用紙支持部材全体を、その搬送方向の上流側端部が前記給送手段の上側に接近するように下向き傾動することにより記録され、
前記用紙支持部材よりも搬送方向下流側に配置された排紙ローラ対を逆転させることにより、前記片面画像記録済の被記録媒体を前記反転搬送手段に向かって逆送することを特徴とする請求項１に記載の画像記録装置。
【請求項３】
前記用紙支持部は、前記画像記録手段と前記給紙カセットとの上下間に、搬送される被記録媒体を支持するための用紙支持部材により構成され、
前記用紙支持部材を搬送方向に分割し、その搬送方向下流側部材もしくは搬送方向上流側部材のいずれか一方もしくは双方を傾動させることにより、前記開口部が形成され、
前記搬送方向下流側部材よりも搬送方向下流側に配置された排紙ローラ対を逆転させることにより、前記片面画像記録済の被記録媒体を前記反転搬送手段に向かって逆送することを特徴とする請求項１に記載の画像記録装置。
【請求項４】
前記画像記録手段により被記録媒体の片面に最初に画像を記録した後、その被記録媒体の他面に画像記録する際には、前記用紙支持部材の全部または搬送方向に沿う一部を下向き傾動させて、被記録媒体を前記給送手段上の反転搬送手段に誘導すべく、前記片面画像記録済の被記録媒体の搬送方向の上流側端部を、前記排紙ローラ対に挟持した状態で一旦停止させた後に逆送りするように構成したことを特徴とする請求項２または３に記載の画像記録装置。
【請求項５】
前記給送手段は、上下回動可能であって、被記録媒体の少なくとも一部を載置可能なアームと、このアームの先端に装着され、正逆回転駆動可能な給紙ローラとを備え、
前記反転搬送手段は、前記アーム及び給紙ローラと、この給紙ローラの上面に接離可能な従動回転体とを備えたことを特徴とする請求項１乃至４のいずれかに記載の画像記録装置。
【請求項６】
被記録媒体における逆送方向の下流側端部が、前記給紙ローラと従動回転体との挟持位置に到達したとき、前記排紙ローラ対による被記録媒体の挟持動作が解除されることを特徴とする請求項２乃至５のいずれかに記載の画像記録装置。
【請求項７】
前記画像記録手段は、前記用紙支持部上の被記録媒体に向かってインク滴を選択的に吐出するインクジェット式の記録ヘッドを備えていることを特徴とする請求項１乃至６のいずれかに記載の画像記録装置。
【発明の詳細な説明】
【技術分野】
【０００１】
本発明は、用紙（被記録媒体）の両面に画像を記録することができる画像記録装置の構成に関するものである。
【背景技術】
【０００２】
近年、オフィスや家庭内において、紙資源の節約のために、用紙（被記録媒体）の両面に画像を記録することができる画像記録装置を設置することが盛んに行われている。
【０００３】
この種の画像記録装置は種々のタイプで盛んに開発されており、例えば、特許文献１では、画像記録装置の本体ケースの下端に給紙カセットが配置され、その上方の本体ケース内には、電子写真プロセスによるトナー式の画像記録部が配置されている。この画像記録装置においては、給紙カセットから上向きＵ字状の搬送経路を介して画像記録部に向かって用紙を搬送して、当該用紙の片面にまず画像を記録する。その後、定着装置を介して排出搬送路へ用紙を搬送し、その搬送方向における排出搬送路の最下流側の排出ローラ対の箇所で用紙の最上流側端部を挟持した状態で一旦停止する。次いで、上記の用紙を上記排出搬送路から分岐し、且つ給紙カセットの上方に配置された反転搬送路に向かって逆行搬送させ、再度上向きＵ字状の搬送経路に用紙を反転搬送させることで、その下流側の画像記録部では、用紙のうち未だ画像が記録されていない用紙の他面に画像記録ができるように構成されている。
【特許文献１】特開２００４−１０２１６５号公報（図２参照）
【発明の開示】
【発明が解決しようとする課題】
【０００４】
しかしながら、上記特許文献１のように、片面画像形成した後の排出搬送路の箇所で用紙の搬送方向を逆転（逆行）させる反転搬送部ユニットを備えるため、その構成部品点数が多くなり、構造が極めて複雑であって、且つ嵩張るという問題があった。また、反転搬送経路が長く、片面画像記録済の用紙の画像記録表面に搬送ローラ等が接触しているため画像記録表面を汚してしまうことが多かった。
【０００５】
本発明は、上記の従来の課題を解決すべくなされたものであり、部品点数が少なく小型で、且つ簡単な構造で片面画像記録済の被記録媒体の表面を汚すことなく、両面画像記録できるようにした画像記録装置を提供することを目的とするものである。
【課題を解決するための手段】
【０００６】
前記目的を達成するため、請求項１に記載の発明の画像記録装置は、本体ケース内に設けられ、被記録媒体に画像を記録するための画像記録手段と、前記画像記録手段より下方に設けられ、複数枚の被記録媒体を略水平状にて堆積させて収容可能な給紙カセットと、前記給紙カセットの上方に配置され、前記堆積された被記録媒体から１枚ずつ分離にして給送する給送手段と、前記給紙カセットから前記画像記録手段の下面と対向するように被記録媒体を搬送する上向きのＵターン搬送路と、を備えた画像記録装置において、前記画像記録手段と前記給紙カセットとの上下間に、搬送される前記被記録媒体を支持するための用紙支持部を配置し、前記用紙支持部は、片面画像記録済の被記録媒体を逆送りするときのみ開口する開口部を備え、前記開口部と前記Ｕターン搬送路との間には、前記片面画像記録済の被記録媒体を前記画像記録手段の方向に再送するための反転搬送手段が配置されているものである。
【０００７】
請求項２に記載の発明は、請求項１に記載の画像記録装置において、前記用紙支持部は、前記画像記録手段と前記給紙カセットとの上下間に、搬送される被記録媒体を支持するための用紙支持部材により構成され、前記開口部は、前記用紙支持部材全体を、その搬送方向の上流側端部が前記給送手段の上側に接近するように下向き傾動することにより形成され、前記用紙支持部材よりも搬送方向下流側に配置された排紙ローラ対を逆転させることにより、前記片面画像記録済の被記録媒体を前記反転搬送手段に向かって逆送するものである。
【０００８】
請求項３に記載の発明は、請求項１に記載の画像記録装置において、前記用紙支持部は、前記画像記録手段と前記給紙カセットとの上下間に、搬送される被記録媒体を支持するための用紙支持部材により構成され、前記開口部は、前記用紙支持部材の搬送方向に分割し、その搬送方向下流側部材が前記給送手段の上側に接近するように下向き傾動することにより形成され、前記搬送方向下流側部材よりも搬送方向下流側に配置された排紙ローラ対を逆転させることにより、前記片面画像記録済の被記録媒体を前記反転搬送手段に向かって逆送するものである。
【０００９】
そして、請求項４に記載の発明は、請求項２または３に記載の画像記録装置において、前記画像記録手段により被記録媒体の片面に最初に画像を記録した後、その被記録媒体の他面に画像記録する際には、前記用紙支持部材の全部または搬送方向に沿う一部を下向き傾動させて、被記録媒体を前記給送手段上の反転搬送手段に誘導すべく、前記片面画像記録済の被記録媒体の搬送方向の上流側端部を、前記排紙ローラ対に挟持した状態で一旦停止させた後に逆送りするように構成したものである。
【００１０】
また、請求項５に記載の発明は、請求項１乃至４のいずれかに記載の画像記録装置において、前記給送手段は、上下回動可能であって、被記録媒体の少なくとも一部を載置可能なアームと、このアームの先端に装着され、正逆回転駆動可能な給紙ローラとを備え、前記反転搬送手段は、前記アーム及び給紙ローラと、この給紙ローラの上面に接離可能な従動回転体とを備えたものである。
【００１１】
請求項６に記載の発明は、請求項２乃至５のいずれかに記載の画像記録装置において、前記被記録媒体における逆送方向の下流側端部が、前記給紙ローラと従動回転体との挟持位置に到達したとき、前記排紙ローラ対による被記録媒体の挟持動作が解除されるものである。
【００１２】
請求項７に記載の発明は、請求項１乃至６のいずれかに記載の画像記録装置において、前記画像記録手段は、前記用紙支持部上の被記録媒体に向かってインク滴を選択的に吐出するインクジェット式の記録ヘッドを備えているものである。
【発明の効果】
【００１３】
上述のように、請求項１に記載の発明によれば、画像記録装置における画像記録手段と給紙カセットとの上下間に、Ｕターン搬送路と、これにより搬送される被記録媒体を支持するための用紙支持部を配置し、この用紙支持部は、片面画像記録済の被記録媒体を逆送りするときのみ開口する開口部を備え、この開口部と給紙カセットとの間には、片面画像記録済の被記録媒体をＵターン搬送路に導入して、その被記録媒体を画像記録手段の方向に再送するための反転搬送手段が配置されたものであるので、従来の両面画像記録のための反転搬送手段に比べて、構造が至極簡単且つ部品点数が少なくてすむという効果を奏する。
【００１４】
請求項２に記載の発明によれば、前記用紙支持部は、画像記録手段と給紙カセットとの上下間に、搬送される被記録媒体を支持するための用紙支持部材により構成され、開口部は、用紙支持部材の全体を、その搬送方向の上流側端部が給送手段の上側に接近するように下向き傾動することにより形成され、用紙支持部材よりも搬送方向下流側に配置された排紙ローラ対を逆転させることにより、片面画像記録済の被記録媒体を反転搬送手段に向かって逆送するものである。このように、画像記録手段に近接した搬送方向下流側の排紙ローラ対を逆転させることで、片面画像記録済の被記録媒体を反転搬送手段に逆送するするので、従来の排出部近傍に逆送手段を配置する場合に比べて、逆送経路が極端に短くなり、両面画像記録を迅速に行える（高速化できる）という効果を奏する。
【００１５】
請求項３に記載の発明によれば、用紙支持部である用紙支持部材を搬送方向上流側部材と搬送方向下流側部材とに分割し、その搬送方向上流側部材もしくは搬送方向下流側部材のいずれか一方もしくは双方を傾動させることにより、開口部が形成され、搬送方向下流側部材よりも搬送方向下流側に配置された排紙ローラ対を逆転させることにより、前記片面画像記録済の被記録媒体を反転搬送手段に向かって逆送する構成を採用すれば、傾動させる用紙支持部材の形状が小さくなり、傾動させるアクチュエータの動力も少なくて済むという効果を奏する。更に、傾動させる範囲を小さくすることができるため、装置全体を小型化・薄型化できるという効果を奏する。
【００１６】
請求項４に記載の発明によれば、画像記録手段により被記録媒体の片面に最初に画像を記録した後、片面画像記録済の被記録媒体の裏面に画像記録する際には、用紙支持部材の全部または搬送方向に沿う一部を下向き傾動させて、その被記録媒体を給送手段上の反転搬送手段に誘導すべく、片面画像記録済の被記録媒体の搬送方向の上流側端部を、排紙ローラ対に挟持した状態で一旦停止させた後に逆送りするように構成したので、この排紙ローラ対による被記録媒体の送り方向の制御だけで、至極簡単に片面画像記録と両面画像記録との作業を区分させることができる。
【００１７】
請求項５に記載の発明によれば、給送ユニットは、上下回動可能であって、被記録媒体の少なくとも一部を載置可能なアームと、このアームの先端に装着され、正逆回転駆動可能な給紙ローラとを備え、反転搬送手段は、アーム及び給紙ローラと、この給紙ローラの上面に接離可能な従動回転体とを備えたものである。このように構成すれば、被記録媒体のうち既に画像記録された表面は給紙ローラに接触しないから、両面画像記録時及び給紙カセットに堆積させた被記録媒体を次に給送する時のいずれの場合にも、その被記録媒体の表面が給紙ローラによって汚されることがない。そして、反転搬送手段は給送ユニットを利用し、従動回転体を付加した構造となるので、製造コストが大幅に低減できるという効果を奏する。また、反転搬送手段をコンパクトにでき、画像記録装置を小型化できるという効果を奏する。
【００１８】
請求項６に記載の発明によれば、被記録媒体における逆送方向の下流側端部が、給紙ローラと従動回転体との挟持位置に到達したとき、排紙ローラ対による被記録媒体の挟持動作が解除されるものであるから、片面画像記録済の被記録媒体の逆送時の抵抗が少なく、且つ画像記録済の被記録媒体の記録面を荒らすこともないという効果を奏する。
【００１９】
請求項７に記載の発明によれば、用紙支持部上の被記録媒体に向かってインク滴を選択的に吐出するインクジェット式の記録ヘッドを備えているものであるので、用紙支持部はその上の被記録媒体と記録ヘッドとの間のギャップを規制する機能を有するものでありながら、開口部を形成し、且つ片面画像記録済の被記録媒体の逆送時に反転搬送手段に導くための部材としても利用でき、部品点数の削減と、画像記録装置のコンパクト化に寄与できるという効果を奏する。
【発明を実施するための最良の形態】
【００２０】
次に、本発明を具体化した実施形態について図面を参照しながら詳細に説明する。図１は本発明の一実施形態である多機能型の画像記録装置１の全体斜視図、図２は上部ケースを除去した本体ケースの斜視図、図３は記録部ユニットに給紙カセットを装着した状態の平面図、図４は図３のIV−IV線矢視図、図５は下流側のガイドプレート及び支持部材を除いた状態の記録部ユニットの斜視図、図６は図３のVI−VI線矢視側面図、図７（ａ）は本体ケース２内の記録部ユニットの構造を示す一部側面図、図７（ｂ）は拍車ホルダの付勢及び回動中心を示す要部斜視図、図８（ａ）〜図８（ｃ）は図３のVIII−VIII線矢視の断面で示す作用説明図、図９（ａ）及び図９（ｂ）は図３のIX−IX線矢視の断面で示す作用説明図、図１０（ａ）及び図１０（ｂ）は図３のX−X線矢視の断面で示す作用説明図、図１１はキャリッジがメンテナンス部に位置した状態の排紙ローラ対側から見た斜視図、図１２は同じく搬送上流側から見た斜視図、図１３は移動するキャリッジにより拍車ホルダを上向き回動させた状態の排紙ローラ対側から見た斜視図、図１４は同じく搬送上流側から見た斜視図、図１７は制御装置の機能ブロック図、図１８及び図１９は両面画像記録の制御のフローチャートである。
【００２１】
図１に示す多機能型の画像記録装置１は、ファクシミリ機能、プリンタ機能、複写機能、スキャナ機能等を備えている。多機能型（Multi Function Device ）の画像記録装置１は、上面開放の略箱状の本体ケース２と、この本体ケース２の一側（図１の実施形態ではＹ軸方向左側）に対して、蝶番、ヒンジ部等の回動軸線部（図示せず）を介して上下回動可能に枢着された上部ケース３とを有する。なお、以下の説明において、図１の画像記録装置１の手前側を前側とし、左右方向（主走査方向、Ｙ軸方向）や、前後方向（副走査方向、Ｘ軸方向）、上下方向に関しても図１の画像記録装置１の向きを基準に説明する。本体ケース２及び上部ケース３は合成樹脂製の射出成形品である。
【００２２】
上部ケース３の上面前部には操作パネル３０が配置されている。操作パネル３０には数字ボタンやスタートボタン、機能操作ボタン等の各種のボタンが設けられており、使用者がこれらのボタンを押下することにより、画像記録装置1に対する各種の操作が行われる。操作パネル３０には液晶（ＬＣＤ）等のディスプレイ部３１が設けられ、画像記録装置１の設定状態や各種の操作メッセージ等が必要に応じて表示される。
【００２３】
上部ケース３には、操作パネル３０の後部側にスキャナ装置（画像読取部）３３が配置されている。即ち、ファクシミリ機能時に相手ファクシミリ装置に送信すべきファクシミリ原稿や、複写機能時に複写すべき原稿の画像を読取るためのスキャナ装置３３は、大判のガラス板上の原稿の画像を読取るフラットベッド読取部と、このフラットベッド読取部の上面を覆う回動可能なカバー体３４とからなる。なお、カバー体３４は、画像記録装置１の背面側（図１のＸ軸方向奥側）に配置されているヒンジを回動の中心として開閉回動可能に構成されている。
【００２４】
このように上部ケース３は図１に示す画像記録装置１の左側端部を中心にして本体ケース２に対して上向きに大きく開くことができるが、更にその開いた姿勢を保持するための開き姿勢保持手段が備えられている。上部ケース３の下面側の一側（画像記録装置１の背面側に近い部分）には、上述したイメージセンサの移動方向と平行であってその方向に延びるように案内溝孔を有するガイドレール（図示せず）を固定し、本体ケース２における回動軸線部から遠い側にて基端を回動可能に枢着させた支持棒（図示せず）の先端（上端）のガイドピンをガイドレールに移動可能に嵌挿する。そして、案内溝孔のうち回動軸線部から遠い側にて上向きに切欠き形成された係合部（図示せず）に前記ガイドピンが嵌まった状態で、上部ケース３を本体ケース２に対して所定の大きい開き角度で保持できるように構成するものである。
【００２５】
また、図示はしないが、フラットベッド読取部におけるガラス板の直下には、ガラス板に直接載置された原稿の画像面を読取るための光電変換素子の一例としてのライン型の密着型イメージセンサ（ＣＩＳ：Contact Image Sensor）が、後述するキャリッジ１３の移動方向（主走査方向、Ｙ軸方向）と平行方向に延びる図示しないガイド軸に沿って往復移動可能に設けられている。
【００２６】
次に、プリンタ装置（記録部）の構成について説明する。図１に示すように、本体ケース２内の左右方向中央部には、その底部に複数枚の被記録媒体としての用紙Ｐをほぼ水平状にて堆積状態で載置可能な給紙カセット５が配置され、この給紙カセット５は本体ケース２の前面の開口部２ａから挿抜可能に構成されている。
【００２７】
さらに、図６乃至図８に示すように、本体ケース２内には、給紙カセット５より上部に給紙ローラ７を備えた給送手段としての給送ユニット６と、本体ケース２内の後端部で上向きＵ字状のＵターン搬送路９を介して前向きほぼ水平状に用紙Ｐを搬送する搬送経路と、この搬送経路中に配置された平板状の用紙支持部１１（図２，図３参照）上の用紙Ｐの表面にインクを吐出して画像記録するインクジェット方式の記録ヘッド１２（図１５，図１６参照）を備えた記録部ユニット１０とが配置されている。また、本発明では、後に詳述するように、片面画像記録済の用紙Ｐを、用紙支持部１１に形成された開口部５０（図８（ｂ），図１５（ｂ）参照）を介して、給送ユニット６を利用した反転搬送手段４８に逆送し、さらにＵターン搬送路９を介して記録部ユニット１０に片面画像記録済の用紙Ｐを表裏逆にした状態で再度戻すことにより、両面画像記録する構成を有するものである。      
【００２８】
カラー記録用の記録ヘッド１２にインクを供給するためのインクカートリッジ２６は、本体ケース２内であって、上部ケース３を開閉回動する際の回動軸線部を有する側面板と対峙して最も離間した位置の側面板の内面に接近した位置の収容部２７（図２参照）に対して上方から着脱可能に構成されている。各インクカートリッジ２６には、色毎のインクがそれぞれ収納されており、本実施形態ではブラック（Ｂ）、シアン（Ｃ）、マゼンタ（Ｍ）、イエロー（Ｙ）の４色のインクが４つのインクカートリッジ２６にそれぞれ収納されている。もちろん４色以上のインクを用いる画像記録装置の場合には、そのインク色の数だけのインクカートリッジを収納できる構成にすればよい。各インクカートリッジ２６から記録ヘッド１２へは可撓性を有するインクチューブ２８（図２参照）によりインクが供給される。
【００２９】
図２〜図５に示すように、記録部ユニット１０は記録ヘッド１２(図１５，図１６参照)を有するキャリッジ１３、合成樹脂製の板状の用紙支持部１１、キャリッジ１３を往復移動させるためのＣＲ（キャリッジ）モータ２４及びこのＣＲモータ２４に接続されたタイミングベルト２５、並びにこれらを支持するための金属板製のエンジンフレーム３９を主体として構成されている。エンジンフレーム３９は本体ケース２内部の後部側であって給紙カセット５の上方に配されている。エンジンフレーム３９は金属製であって、図３〜図５に示すように箱型をなす本体部３９ａの上部側に本体ケース２の左右方向（主走査方向、Ｙ軸方向）に伸びて、キャリッジ１３を摺動可能に支持する一対のガイドプレート４０、４１を装着してなる。図７（ａ）に示すように、本体部３９ａには、駆動軸１４及び給送ユニット６のアーム６ａが回動自在に軸止されるとともに記録ヘッド１２の下面と対向して用紙Ｐを支持するための平板状の用紙支持部１１が配置されている。なお、図示しないねじりバネ等の付勢手段により、アーム６ａは常時上向き回動方向に付勢されている。
【００３０】
また、用紙支持部１１を挟んで搬送上流側に配置されて用紙Ｐを記録ヘッド１２の下面に送るためのレジストローラ（搬送ローラ）対２０のうち、駆動する搬送ローラ２０ａの両端部と、用紙支持部１１の下流側にて配置され、記録済みの用紙Ｐを排紙部２２に搬送するための排紙ローラ対２１のうち、駆動する排紙ローラ２１ａの両端部とが、エンジンフレーム３９における一対の側板３９ｂ，３９ｃに設けられた軸支部に回転可能に軸支されている。上記搬送される用紙Ｐは、その上位置の駆動する搬送ローラ２０ａと、下位置の従動の搬送コロ２０ｂと間にニップ（挟持）される。また、排紙ローラ対２１における駆動する排紙ローラ２１ａは排出される用紙Ｐの下面に当接し、拍車２１ｂは用紙Ｐの上面に当接するようにしてニップ（挟持）する。
【００３１】
そして、搬送ローラ２０ａ及び排紙ローラ２１ａ及びメンテナンス部３６には、このメンテナンス部３６の配置側と反対側の側板３９ｂ近傍に配置された１つのＬＦ（用紙搬送用）モータ４２からの動力を所定の歯車伝動機構４３を介して伝達される（図３、図５及び図６参照）。図６に示すように、歯車伝動機構４３は、正逆回転可能なＬＦモータ４２の駆動軸に取付けられたピニオン４３ａと、これに左右で噛合う伝動ギヤ４３ｂ及び中間ギヤ４３ｃと、この中間ギヤ４３ｃに噛合う伝動ギヤ４３ｄとからなり、伝動ギヤ４３ｂはレジストローラ対２０における搬送ローラ２０ａの一側（左端部）に取り付けられている。他方の伝動ギヤ４３ｄは排紙ローラ対２１における排紙ローラ２１ａの一端（左端部）に取付けられている。
【００３２】
また、実施形態では、ＬＦモータ４２からの回転力が、搬送ローラ２０ａの他端部から、後述するメンテナンス部３６への動力伝達切換部分を介して給送ユニット６に動力伝達される。
【００３３】
なお、上述したように、搬送ローラ２０ａと排紙ローラ２１ａとは、用紙搬送経路を挟んで上下に位置するので、ＬＦモータ４２の所定方向の回転駆動により、搬送ローラ２０ａと排紙ローラ２１ａとは、互いに逆向きに回転することになる。
【００３４】
また、歯車伝動機構４３の一部には、搬送ローラ対２０ａによる用紙Ｐの搬送量を検知するためのロータリエンコーダ４４が設けられている。ＣＲモータ２４及びＬＦモータ４２は共に正逆回転可能に構成されている。
【００３５】
給紙カセット５から用紙Ｐを１枚ずつ分離にして給送するときには、ＬＦモータ４２が逆回転し、給送ユニット６の駆動軸１４が図７（ａ）に示す反時計回り方向に回転する。これによってつれ廻りするアーム６ａは、このアーム６ａに対する上述の付勢力に抗して下向きに回動する。そして給紙ローラ７は給紙カセット５に堆積された用紙Ｐの最上面に当接され、且つ給紙ローラ７は給送方向（図７（ａ）で時計回り方向）に回転する。
【００３６】
給紙カセット５から用紙Ｐを分離給送しないときには、ＬＦモータ４２は正回転して、駆動軸１４が図７（ａ）に示す時計回り方向に回転する。これによってつれ廻りするアーム６ａは上向きに回動する。そして給紙ローラ７は給紙カセット５に堆積された用紙Ｐの最上面から離間される。このとき、アーム６ａに設けられた歯車伝動機構を介して給紙ローラ７は給送方向とは逆の方向（図７（ａ）で反時計回り方向）に回転する。
【００３７】
搬送される用紙Ｐの幅（用紙Ｐの短辺）より外側には、その一端側（実施形態では、図３でエンジンフレーム３９の本体部３９ａで、用紙Ｐの給送方向から見て左側の側板３９ｂに近い部位）にインク受け部３５が、また、他端側（図３で右側の側板３９ｃに近い部位）にメンテナンス手段としてのメンテナンスユニット３６がそれぞれ配置されている。これにより、記録ヘッド１２はインク受け部３５に設けられたフラッシング位置にて記録動作中に定期的にノズルの目詰まり防止のためのインク吐出を行い、インク受け部３５にてインクを受ける。メンテナンスユニット３６の部分では、キャリッジ１３は待機位置であって、メンテナンスユニット３６におけるキャップ部３６ａ（図５参照）が記録ヘッド１２のノズル面を下方から覆って色毎にインクを選択的に吸引したり、記録ヘッド１２上の図示しないバッファタンク内の気泡を除去するための回復処理等を行う。なお、キャリッジ１３がメンテナンスユニット３６の部分から、画像記録領域に横方向に移動するとき、ワイパブレード３６ｂ（図５参照）でノズル面を拭いてクリーニングを行う。
【００３８】
記録ヘッド１２が搭載されたキャリッジ１３を往復移動させるために、用紙給送方向（矢印Ａ方向）の下流側に配置されたガイドプレート４１の上面には、主走査方向（Ｙ軸方向）に延びるように配置されたタイミングベルト２５はプーリ２５ａ，２５ｂに巻回され、そのタイミングベルト２５を駆動するＣＲ（キャリッジ）モータ２４（本実施形態ではＤＣモータ）はガイドプレート４１の下面に固定されている（図２及び図１２参照）。ガイドプレート４１には、その長手方向（主走査方向）に沿って延びるようにリニアエンコーダ（エンコーダストリップ）３７が配置されて、キャリッジ１３のＹ軸方向（主走査方向）の位置を検知する。この帯状のリニアエンコーダ（エンコーダストリップ）３７は検査面（Ｙ軸方向に一定間隔で配置されたスリットの形成面）が垂直方向に沿うように配置されている。
【００３９】
次に、キャリッジ１３の下面（ノズル面）と接近した状態で用紙Ｐを支持し、且つ片面画像記録済の用紙Ｐを逆送するときに下方に導くための開口部５０を有する用紙支持部１１の構成を説明する。第１実施形態は、図３、図８（ａ）〜図８（ｃ）、図９（ａ）、図１２及び図１４に示す。第１実施形態の用紙支持部１１は、平板状で、排紙方向（矢印Ｂ方向）の下流側支持部材としての主支持部材４５と、これに隣接し、且つ上流側支持部材としての副支持部材４６とからなる。主支持部材４５は用紙Ｐの搬送方向と直交する幅方向に長く、且つ主走査方向（Ｙ軸方向）の両端部４５ａが上流側に延びる平面視でコ字型であり、両端部４５ａの間に、搬送されるべき用紙Ｐの最大幅寸法より広幅寸法Ｗ１の平面視矩形状の副支持部材４６が配置されている（図３参照）。
【００４０】
主支持部材４５は、エンジンフレーム３９の本体部３９ａに固定され、主支持部材４５の広幅面は、記録ヘッド１２のノズル面に対して平行に形成されている。また、主支持部材４５のうち両端部４５ａの間の搬送方向上流側の端部表面（上面）は図８（ａ）〜図８（ｃ）に示すように、搬送方向上流側に行くに従って下向き傾斜形成されている。
【００４１】
副支持部材４６は、その長手方向（Ｙ軸方向）の両端部のうち搬送方向上流側部位の枢支ピン４７を中心にして上下回動可能に装着されている（図３、図８（ａ）〜図８（ｃ）及び図９（ａ）、図９（ｂ）参照）。また、副支持部材４６の搬送方向下流側の端部下面は、図８（ａ）〜図８（ｃ）に示すように、搬送方向下流側に行くに従って上向き傾斜形成されている。このように形成することにより、後述の開口用ソレノイド４９をＯＮ作動させて、副支持部材４６の搬送方向下流側を上向きに回動すると、当該副支持部材４６と主支持部材４５との間の合わせ面が開いて開口部５０が形成されることになる（図８（ｂ）、図８（ｃ）、図９（ｂ）、図１２及び図１４参照）。開口用ソレノイド４９をＯＦＦ作動させて、主支持部材４５の上面に対して副支持部材４６の上面を略同一面状となるように、副支持部材４６を閉じる（下向き回動する）と、開口部５０が閉じられる（図８（ａ）及び図９（ａ）参照）。
【００４２】
他方、片面画像記録済の用紙Ｐを再度Ｕターン搬送路９に送るための反転搬送手段４８は、前述の給送ユニット６を利用し、上下揺動可能なアーム６ａと、このアーム６ａの先端に設けられた給紙ローラ７と、給紙ローラ７の上面に対して接離可能に移動し得る従動回転体５２とにより構成されている（図８（ａ）〜図８（ｃ）参照）。また、給紙ローラの正逆回転により、従動回転体５２が給紙ローラ７の上面に押圧されたり、給紙ローラ７の上面から離間されて隙間ができる。そして、開口部５０がアーム６ａの上方に形成された状態で、排紙ローラ対２１を逆転させることにより、片面画像記録済の用紙Ｐを反転搬送手段４８に向かって逆送できるように設定されている。
【００４３】
副支持部材４６を上向き回動させるためのアクチュエータは、図９（ａ）、図９（ｂ）に示すごとく、上向きに作動軸が突出して副支持部材４６を押し上げる得る開口用ソレノイド（電磁ソレノイド）４９であって、図示しないが副支持部材４６の長手方向の一端部に配置されている。なお、記録ヘッド１２のノズル面による画像記録領域より下流側であって、排紙ローラ対２１との間の部位には、主支持部材４５の上面に近接させた部位に、拍車５１を配置する（図１０（ａ）及び図１０（ｂ）参照）。これにより、画像記録済の用紙Ｐが浮き上がってノズル面に摺接せず、インクの汚れで画像品質を悪化させないようにしている。
【００４４】
次に、排紙ローラ対２１における拍車２１ｂを駆動する排紙ローラ２１ａに対して接離可能となる構成について説明すると、図７（ａ）、図７（ｂ）、図１０（ａ）及び図１０（ｂ）に示すように、駆動ローラ２１ａはエンジンフレーム３９の本体部３９ａに高さ位置固定的に設けられ、その上方であって下流側のガイドプレート４１の下面に近接して拍車ホルダ５３が上下動可能に配置されている。合成樹脂製の平板状の拍車ホルダ５３には、複数の拍車２１ｂが、駆動ローラ２１ａの回転軸線に沿って適宜間隔で配置されている。そして、拍車ホルダ５３の長手方向（Ｙ軸方向）の両端部のフック５５ａと、本体部３９ａ固定された主支持部材４５の側端のフック５５ｂとの間には、コイルバネ５４が装架されて、拍車ホルダ５３を下向きに付勢し、常時拍車２１ｂの外周拍車部分の下端部が、駆動する排紙ローラ２１ａの上面に近接もしくは当接するように構成されている（図７（ａ）及び図７（ｂ）参照）。
【００４５】
拍車ホルダ５３の上面のうち搬送方向下流側端部には、Ｙ軸方向に沿って適宜間隔でＬ字状の当接体５５が一体的に設けられ、これらの当接体５５が下流側のガイドプレート４１の上面と対面するように配置されている（図７（ａ）、図１０（ａ）、図１０（ｂ）、図１１及び図１３参照）。ガイドプレート４１の上面のうち搬送方向下流側端部には、Ｙ軸方向に沿って延びる作用軸５６が軸受部５７の中心に対して回動可能に軸支されており、この作用軸５６には、滴型の押し上げ作用部５８が一体的に形成されている（図１０（ａ）、図１０（ｂ）、図１１及び図１３参照）。また、作用軸５６には、メンテナンス部３６の近傍にて上向きに立設するように、当接レバー５９が固設されている（図１０（ａ）、図１０（ｂ）、図１１及び図１３参照）。当接レバー５９はその平面視の断面形状が搬送方向上流側に突出する二等辺三角形である。キャリッジ１３が主走査方向（Ｙ軸方向）に沿って移動して画像記録領域からメンテナンス部に入るとき、及びメンテナンス部から画像記録領域に出る方向矢印Ｄ方向に移動するときに、キャリッジ１３の後端面（後当接部）１３ａ（図１１及び図１３参照）が当接レバー５９を押して、作用軸５６を図１０（ｂ）において反時計廻りに回動させる。これにより、押し上げ作用部５８が当接体５５を押し上げると、コイルバネ５４の付勢力に抗して拍車ホルダ５３が図１０（ｂ）において時計廻りに上向きに回動し、すべての拍車２１ｂを排紙ローラ２１ａの上面から離れるように構成されている（図１０（ｂ）の状態参照）。
【００４６】
次に、図１２及び図１４を参照しながら、給送ユニット６及びメンテナンス部３６に対するそれぞれの駆動力の動力伝達部及び伝達切り替え手段１００の構成について説明する。図６に示し、且つ上述したように、正逆回転可能なＬＦモータ４２からの回転力は、歯車伝動機構４３におけるピニオン４３ａ及びレジストローラ対２０における搬送ローラ２０ａに取り付けられた減速ギヤ４３ｂに伝達される一方、ピニオン４３ａから中間ギヤ４３ｂを介して排紙ローラ対２１における排紙ローラ２１ａに取付けられたギヤ４３ｃに伝達され、搬送ローラ２０ａと排紙ローラ２１ａとが同時に回転する。
【００４７】
そして、搬送ローラ２０ａの右端部（メンテナンス部３６）には１つの駆動ギヤ１０１が一体的に回転するように設けられている。この駆動ギヤ１０１に常時噛み合い、且つ搬送ローラ２０ａの軸線と並行状にスライド可能な１つの中間歯車である切り換えギヤ１０９を備えた伝達切り換え手段１００は、給送ユニット６への第１動力伝達部と、メンテナンス部３６への第２動力伝達部とに選択に動力伝達するように構成されている。
【００４８】
伝達切り換え手段１００は、図１２、図１４に示すごとく、搬送ローラ２０ａの軸線と並行に摺動自在なブロック部１０５ａと、このブロック部１０５ａと切り離し可能であって支軸１０５ｂに摺動自在な切り換えギヤ１０９と、ブロック部１０５ａから上向きに一体的に突出する当接部１１０と、ブロック部１０５ａを側板３９ｃの外面方向に弾力付勢するための第１付勢バネ１０５ｃと、側板３９ｃの外面と切り換えギヤ１０９との間に配置されて、切り換えギヤ１０９をブロック部１０５ａの一側方向に押圧付勢するための第２付勢バネ１０５ｄとにより構成されている。第１付勢バネ１０５ｃより第２付勢バネ１０５ｄの付勢力は弱く設定されている。
【００４９】
そして、キャリッジ１３がメンテナンス部３６において、図１２で矢印Ｃ方向に移動し、キャリッジ１３における押圧部１１１で当接部１１０を図１２で矢印Ｃ方向に押して第１付勢バネ１０５ｃの付勢力に抗してブロック部１０５ａを切り換えギヤ１０９から離間させ、切り換えギヤ１０９がメンテナンス側ギヤ１１２に噛合うときには、図示しない歯車群を介して、メンテナンス部３６に動力伝達される。一方、図１４のように、キャリッジ１３が所定量矢印Ｄ方向に移動して第１付勢バネ１０５ｃの付勢力にてブロック部１０５ａも側板３９ｃに接近し、切り換えギヤ１０９が給紙側ギヤ１１３に噛合うときには、図示しない歯車群を介して給送ユニット６の駆動軸１４に動力伝達される。
【００５０】
次に図１７を参照して、この画像記録装置１の制御部（制御手段）について説明する。この制御部は、画像記録装置１の全体的な動作を制御するものである。
【００５１】
この制御部は、ＣＰＵ３００、ＲＯＭ３０１、ＲＡＭ３０２、ＥＥＰＲＯＭ３０３を中心とするマイクロコンピュータとして構成され、バス３０５を介してＡＳＩＣ（Application Specific Integrated Circuit ）３０６に接続されている。
【００５２】
ＲＯＭ３０１には、インクジェットプリンタの各種動作を制御するプログラム等が格納されおり、ＲＡＭ３０２は、ＣＰＵがこれらのプログラムを実行する際に用いる各種データを一時的に記憶する記憶領域として、また作業領域として用いられる。
【００５３】
ＡＳＩＣ３０６にはＮＣＵ（Network control Unit）３１７が接続されており、公衆回線からＮＣＵ３１７を介して入力された通信信号はＭＯＤＥＭ３１８によって復調されてからＡＳＩＣ３０６に入力される。また、ＡＳＩＣ３０６がファクシミリ送信等で画像データを外部へ送信する場合には、その画像データがＭＯＤＥＭ３１８によって通信信号に変調され、その通信信号がＮＣＵ３１７を介して公衆回線に出力される。
【００５４】
また、ＡＳＩＣ３０６は、ＣＰＵ３００からの指令に従い、例えばＬＦモータ４２に通電する相励磁信号等を生成して、これらの信号をＬＦモータ４２の駆動回路３１１やＣＲモータ２４の駆動回路３１２に与え、駆動回路３１１や駆動回路３１２等を介してＬＦモータ４２やＣＲモータ２４に駆動信号を通電し、ＬＦモータ４２やＣＲモータ２４の回転、停止等の制御を行っている。
【００５５】
更に、ＡＳＩＣ３０６には、原稿の画像や文字を読み取るための、スキャナ装置３３（例えば、ＣＩＳなど）、送受信操作のための操作パネル３０のキーボード３０ａや液晶ディスプレイ（ＬＣＤ）３０ｂを備えたパネルインターフェース３１３、パソコンなどの外部機器とパラレルケーブルやＵＳＢケーブルを介してデータの送受信を行うためのパラレルインターフェース３１５やＵＳＢインターフェース３１６、などが接続されている。
【００５６】
更に、ＡＳＩＣ３０６には、メンテナンス部３６のカム（図示せず）の回転位置を検出するためのリーフスイッチ１０３、用紙ＰがＵターン搬送路９を介して記録ヘッド２の下方に近づくように給紙されたときに、その用紙Ｐの先端位置を検出するためにＵターン搬送路９の搬送下流側に位置する用紙先端検出体１０６に関連させて設けられたレジセンサ１０４、搬送ローラ２０ａの回転量を検出するためのロータリエンコーダ４４、キャリッジ１３の移動量を検出するためのリニアエンコーダ３７等が接続されている。
【００５７】
駆動回路３１４は、記録ヘッド１２から所定のタイミングでインクを用紙Ｐに対して選択的に吐出させるためのものであり、ＣＰＵ３００から出力される駆動制御手順に基づきＡＳＩＣ３０６において生成され出力された信号を受けて、記録ヘッド１２を駆動制御する。また、ＡＳＩＣ３０６には、開口用ソレノイド４９が接続されている。
【００５８】
次に、図１８及び図１９のフローチャートを参照しながら、上述の制御手段による片面画像記録及びその後の両面画像記録の制御について説明する。画像記録装置１に電源投入されていない状態では、キャリッジ１３はメンテナンス部３６の上面位置にて停止しており、キャリッジ１３における記録ヘッド１２のノズル部はメンテナンス部３６の上面のキャップ部３６ａに密着されて覆われている（この状態を待機状態という）。
【００５９】
次いで、画像記録装置１に電源投入され、制御がスタートする（ステップＳ１）、図示しない外部コンピュータ等から画像記録指令（ステップＳ２）があると、まず、上述の待機位置（初期位置）にあるキャリッジ１３に対するキャップ部３６ａが下降するようにＬＦモータ４２が所定ステップ数だけ回転する。
【００６０】
次に、ＣＲモータ２４を正回転させ、キャリッジ１３を図３の左端のインク受け部３５（フラッシング位置）の上方へ移動させ（ステップＳ３）、そのインク受け部３５にインクを吐出する（ステップＳ４）。
【００６１】
上述のステップＳ３でキャリッジ１３がメンテナンス部３６の部分から離れるに際して、伝達切り換え手段１００の切り換えギヤ１０９がメンテナンス側ギヤ１１２との噛合を解除し、さらに、伝達切り換え手段１００を横移動させることを円滑に実行するため及び給紙側ギヤ１１３と噛み合いさせるには、ＬＦモータ４２をギヤの歯の１ピッチより少ない位相分だけ、一旦逆回転した後元の位相に戻すべく正回転することを１〜２回繰り返すという切り換え外しのための微小作動を実行する（ステップＳ５）。
【００６２】
次いで、図１４のごとく、切り換えギヤ１０９が給紙側ギヤ１１３と噛合った状態では、給紙カセット５からの給紙が可能となるので、給紙動作のため、ＬＦモータ４２を逆回転させると、アーム６ａが下降し、且つ給紙ローラ７を給送方向（図７（ａ）で時計周り回転）に回転駆動させる（ステップＳ６）。
【００６３】
ＬＦモータ４２の逆回転時には、レジストローラ対２０の搬送ローラ２０ａでは用紙Ｐを記録ヘッド１２の下方には送らない逆回転状態である。そして、給紙カセット５に堆積された用紙Ｐのうちの最上層の１枚の用紙Ｐが分離されて、その用紙Ｐの先端が、図８（ａ）〜図８（ｃ）に示すＵターン搬送路９の搬送下流側に位置する用紙先端検出体１０６の箇所を通過してから（レジセンサ１０４で検知してから）所定ステップ数だけ、レジストローラ対２０に突き当たる状態までＬＦモータ４２の逆回転が継続される。次いで、ＬＦモータ４２を適宜ステップ数だけ正回転させて用紙Ｐの頭出しを行う（ステップＳ７）。頭出し動作とは、レジストローラ対２０で挟持された用紙Ｐの先端が、用紙先端検出体１０６の箇所を通過してから、記録ヘッド１２の下方の所定位置まで前進させて画像記録の開始可能位置にセットすることをいう。
【００６４】
続いて、用紙Ｐを間欠的に前進させながら、キャリッジ１３を主走査方向に往復移動させつつ記録ヘッド１２のノズルから用紙Ｐの片面（表面）にインクを吐出させて画像記録を実行する（ステップＳ８）。頭出し動作時及び画像記録のときには、駆動軸１４が逆回転することにより、アーム６ａが上向き回動すると共に給紙ローラ７は逆回転（図８（ａ）において、時計廻りに回転）している。
【００６５】
用紙Ｐへの片面画像記録が終わると、両面画像記録するか否かを判別し（ステップＳ９）、片面画像記録であるときには（ステップＳ９：no）、ＬＦモータ４２を連続正回転させて、用紙Ｐの全体を排紙部２２に向かって排出する（図８（ａ）の矢印Ｂ方向参照）（ステップＳ１０）。このようにして、複数枚の片面連続画像記録の場合には、ステップＳ６〜ステップＳ１０の工程を繰り返すことになる。
【００６６】
両面画像記録のときには（ステップＳ９：yes ）、ＬＦモータ４２を所定量だけ連続正回転させて、用紙Ｐの後端部（搬送方向上流側部分）が排紙ローラ対２１に挟持される位置まで搬送し、用紙Ｐを本体外へ排出せずに一旦停止する（ステップＳ１１）。
【００６７】
次いで、ＬＦモータ４２の回転力が、給紙ローラ７に伝達されない（停止）状態にするため、キャリッジ１３をメンテナンス部３６内で図１１の矢印Ｃ方向に所定距離だけ横移動させて、切り換えギヤ１０９と給紙側ギヤ１１３との噛合いを解除する（ステップＳ１２）。
【００６８】
次いで、開口用ソレノイド４９をＯＮ作動させて、副支持部材４６を上向き回動させ、開口部５０を形成する（ステップＳ１３）。続いて、副支持部材４６を上向き回動させた状態を保持したまま、ＬＦモータ４２を正回転させると、排紙ローラ対２１が逆回転するので、片面画像記録済の用紙Ｐはその後端部（搬送方向上流側部分）を先頭にして開口部５０に逆送りされる（ステップＳ１４）。この状態では、アーム６ａは上向き回動してその給紙ローラ７は給紙カセット５上の用紙Ｐの最上面とは非接触であり、且つ従動回転体５２との間にも隙間がある（図８（ｂ）参照）。
【００６９】
次いで、所定量逆送したか否かを判別する（ステップＳ１５）。この所定量とは、逆送された片面画像記録済の用紙Ｐの先端が、給紙ローラ７と従動回転体５２との挟持部を若干越えた位置をいう。この所定量はロータリエンコーダ４４により検知することができる。所定量逆送していれば（ステップＳ１５：yes ）、上記の逆送を一旦停止する（ステップＳ１６）。続いて、キャリッジ１３を図１４の矢印Ｄ方向に移動させて、切り換えギヤ１０９と給紙側ギヤ１１３とを噛合いさせ、給紙ローラ７を駆動可能な状態にする（ステップＳ１７）。そして、モータを正回転させ、給紙ローラ７と従動回転体５２とで片面画像記録済の用紙Ｐの先端部を挟持する（図８（ｃ）参照）。
【００７０】
次いで、キャリッジ１３をメンテナンス部３６において、上記の切り換えギヤ１０９と給紙側ギヤ１１３との噛合い状態からさら矢印Ｄ方向に移動させて（ステップＳ１８）、図１３に示すように、キャリッジ１３における後端面１３ａで、当接レバー５９を図１０（ａ）の矢印Ｅ方向に押すと、作用軸５６を図１０（ｂ）において反時計廻りに回動させる。これにより、押し上げ作用部５８が当接体５５を押し上げ、コイルバネ５４の付勢力に抗して拍車ホルダ５３が図１０（ｂ）において時計廻りに上向きに回動し、すべての拍車２１ｂが排紙ローラ２１ａの上面から離れる（図１０（ｂ）の状態参照）。
【００７１】
次に、ＬＦモータ４２を連続正回転させて、片面画像記録済の用紙Ｐの先端部が、Ｕターン搬送路９に反転搬送される（ステップＳ１９）。上記の用紙Ｐが所定量だけ反転搬送されると、レジセンサ１０４がＯＮし（ステップＳ２０：yes ）、続いて、用紙Ｐの裏面に画像記録する（ステップＳ２１)。この裏面画像記録は、上記ステップＳ７及びステップＳ８の工程と同じであるので、詳細な説明は省略する。
【００７２】
以上のようにして、簡単且つ部品点数が少ない構成にて、用紙Ｐの両面に画像記録（印刷）が可能となる。
【００７３】
図１５に示す第２実施形態では、副支持部材４６は水平状態のまま固定であるが、主支持部材４５は、その搬送方向上流側（先端側）を軸１１５の廻りに下向きに回動可能となるように構成されて、主支持部材４５が所定角度だけ下向き回動して姿勢保持すると、副支持部材４６との間に、片面画像記録済の用紙Ｐが反転搬送手段４８の部品としてのアーム６ａ上に導かれるものである。そして、主支持部材４５の上下回動は図示しない電磁ソレノイドなどのアクチュエータにて実行される。その他の構成は第１実施形態と同じであるので、同じ構成、部品については同じ符号を付して、詳細な説明は省略する。図１５（ａ）は第１実施形態を示す図８（ａ）に対応した状態であり、図１５（ｂ）は図８（ｂ）に対応した状態であり、図１５（ｃ）は図８（ｃ）に対応した状態である。従って、作用・効果もほぼ同じである。
【００７４】
図１６（ａ）〜図１６（ｄ）は、第３実施形態を示す。この実施形態では、用紙支持部１１は、１つの用紙支持部材６０にて構成する。そして、用紙支持部材６０は、その搬送方向上流側（先端側）を軸１１６の廻りに下向きに回動可能となるように構成されて、用紙支持部材６０が所定角度だけ下向き回動して姿勢保持すると、キャリッジ１３の下方に大きい開口部５０が形成され、片面画像記録済の用紙Ｐが反転搬送手段４８の部品としてのアーム６ａ上に導かれるものである。そして、用紙支持部材６０の上下回動は図示しない電磁ソレノイドなどのアクチュエータにて実行される。その他の構成は第１実施形態と同じであるので、同じ構成、部品については同じ符号を付して、詳細な説明は省略する。図１６（ａ）は給紙カセット５に堆積させた用紙Ｐの最上層のものを、用紙支持部材６０の上に搬送し、片面画像記録する状態を示し、図１６（ｂ）は第１実施形態を示す図８（ａ）に対応した状態であり、図１６（ｃ）は図８（ｂ）に対応した状態であり、図１６（ｄ）は図８（ｃ）に対応した状態である。従って、作用・効果もほぼ同じである。
【００７５】
上述したように、画像記録手段（記録ヘッド１２）を備えた記録部ユニット１０と給紙カセット５との上下間に、Ｕターン搬送路９と、これにより搬送される用紙Ｐを支持するための用紙支持部１１を配置し、用紙支持部１１には、片面画像記録済の用紙Ｐを逆送りするときのみ開口する開口部５０を備え、この開口部５０と給紙カセット５との間には、片面画像記録済の用紙ＰをＵターン搬送路９に導入して、片面画像記録済の用紙Ｐを画像記録手段の方向に再送するための反転搬送手段４８が配置されたものであるので、従来の両面画像記録のための反転搬送手段に比べて、構造が至極簡単且つ部品点数が少なくて済むという効果を奏する。
【００７６】
そして、用紙支持部１１は、画像記録手段と給紙カセット５との上下間に、搬送される用紙Ｐを支持するための用紙支持部材６０により構成され、開口部５０は、用紙支持部材６０の全体を、その搬送方向の上流側端部が給送手段（給送ユニット６）の上側に接近するように下向き傾動することにより形成され、用紙支持部材６０よりも搬送方向下流側に配置された排紙ローラ対２１を逆転させることにより、片面画像記録済の用紙Ｐを反転搬送手段４８に向かって逆送するものである。このように、記録ヘッド１２に近接した搬送方向下流側の排紙ローラ対２１を逆転させることで、片面画像記録済の用紙Ｐを反転搬送手段４８に逆送するするので、従来の排出部近傍に逆送手段を配置する場合に比べて、逆送経路が極端に短くなり、両面画像記録を迅速に行える（高速化できる）という効果を奏する。そして、構成部品も排紙ローラ対２１を利用するから、必要部品点数も少なくて、製造コストを大幅に低減できるという効果を奏する。
【００７７】
用紙支持部である用紙支持部材を搬送方向上流側部材（副支持部材４６）と搬送方向下流側部材（主支持部材４５）とに分割し、その副支持部材４６もしくは主支持部材４５のいずれか一方もしくは双方を傾動させることにより、開口部５０が形成され、主支持部材４５よりも搬送方向下流側に配置された排紙ローラ対２１を逆転させることにより、前記片面画像記録済の用紙Ｐを反転搬送手段４８に向かって逆送する構成を採用すれば、傾動させる支持部材の形状が小さくなり、傾動させるアクチュエータの動力も少なくて済むという効果を奏する。
【００７８】
画像記録手段により用紙Ｐの片面に最初に画像を記録した後、片面画像記録済の用紙Ｐの裏面に画像記録する際には、用紙支持部材の全部または搬送方向に沿う一部を下向き傾動させて、その用紙Ｐを給送ユニット６上の反転搬送手段４８に誘導すべく、片面画像記録済の用紙Ｐの搬送方向の上流側端部を、排紙ローラ対２１に挟持した状態で一旦停止させた後に逆送りするように構成したので、この排紙ローラ対２１による用紙Ｐの送り方向の制御だけで、至極簡単に片面画像記録と両面画像記録との作業を区分させることができる。
【００７９】
また、給送ユニット６は、上下回動可能であって、用紙Ｐの少なくとも一部を載置可能なアーム６ａと、このアーム６ａの先端に装着され、正逆回転駆動可能な給紙ローラ７とを備え、反転搬送手段４８は、アーム６ａ及び給紙ローラ７と、この給紙ローラ７の上面に接離可能な従動回転体５２とを備えたものである。このように構成すれば、用紙Ｐのうち既に画像記録された表面は給紙ローラ７に接触しないから、両面画像記録時及び給紙カセット５に堆積させた用紙Ｐを次に給送する時のいずれの場合にも、その用紙Ｐの表面が給紙ローラ７によって汚されることがない。そして、反転搬送手段４８は給送ユニット６を利用し、従動回転体５２を付加した構造となるので、製造コストが大幅に低減できるという効果を奏する。また、反転搬送手段４８をコンパクトにでき、画像記録装置を小型化できるという効果を奏する。
【００８０】
用紙Ｐにおける逆送方向の下流側端部が、給紙ローラ７と従動回転体５２との挟持位置に到達したとき、排紙ローラ対２１による用紙Ｐの挟持動作が解除されるものであるから、片面画像記録済の用紙Ｐの逆送時の抵抗が少なく、且つ画像記録済の用紙Ｐの記録面を荒らすこともないという効果を奏する。
【００８１】
画像記録手段は、用紙支持部１１上の用紙Ｐに向かってインク滴を選択的に吐出するインクジェット式の記録ヘッド１２を備えているものであるので、用紙支持部１１はその上の用紙Ｐと記録ヘッド１２との間のギャップを規制する機能を有するものでありながら、開口部５０を形成し、且つ片面画像記録済の用紙Ｐの逆送時に反転搬送手段４８に導くための部材としても利用でき、部品点数の削減と、画像記録装置のコンパクト化に寄与できるという効果を奏する。
【００８２】
本発明は上記記述及び図面によって説明した実施形態に限定されるものではなく、要旨を逸脱しない範囲内で種々変更して実施することができる。
【図面の簡単な説明】
【００８３】
【図１】画像記録装置の全体斜視図である。
【図２】上部ケースを除き、本体ケースを後方から見た斜視図である。
【図３】記録ユニットに給紙カセットを装着した状態の平面図である。
【図４】図３のIV−IV線矢視図である。
【図５】下流側のガイドプレート及び支持部材を除いた状態の記録部ユニットの斜視図である。
【図６】図３のVI−VI線矢視側面図である。
【図７】（ａ）は本体ケース２内の記録部ユニットの構造を示す一部側面図、（ｂ）は拍車ホルダの付勢及び回動中心を示す要部斜視図である。
【図８】（ａ）〜（ｃ）は図３の VIII −VIII線矢視の断面で示す作用説明図である。
【図９】（ａ）及び（ｂ）は図３のIX−IX線矢視の断面で示す作用説明図である。
【図１０】（ａ）及び（ｂ）は図３のＸ−Ｘ線矢視の断面で示す作用説明図である。
【図１１】キャリッジがメンテナンス部に位置した状態の排紙ローラ対側から見た斜視図である。
【図１２】同じく搬送上流側から見た斜視図である。
【図１３】移動するキャリッジにより拍車ホルダを上向き回動させた状態の排紙ローラ対側から見た斜視図である。
【図１４】同じく搬送上流側から見た斜視図である。
【図１５】第２実施形態の作用説明図である。
【図１６】第３実施形態の作用説明図である。
【図１７】制御装置の機能ブロック図である。
【図１８】両面画像記録の制御のフローチャートである。
【図１９】フローチャートの続きである。
【符号の説明】
【００８４】
１        画像記録装置
２        本体ケース
５        給紙カセット
６        給送手段としての給送ユニット
６ａ      アーム
７        給紙ローラ
１０        記録部ユニット
１１        用紙支持部
１２        記録ヘッド
１３        キャリッジ
１３ａ      後端面
２０        レジストローラ対
２１        排紙ローラ対
２１ａ      排紙ローラ
２１ｂ      拍車
２４        ＣＲモータ
３９        エンジンフレーム
４０、４１    ガイドプレート
４２        ＬＦモータ
４４        ロータリエンコーダ
４５        主支持部材
４６        副支持部材
４７        枢支ピン
４８        反転搬送手段
４９        開口用ソレノイド
５０        開口部
５２        従動回転体
５３        拍車ホルダ
５４        コイルバネ
５５        当接体
５６        作用軸
５７        軸受部
５８        押し上げ作用部
５９        当接レバー
６０        用紙支持部材
１００        切り換え手段
１０６        用紙先端検出体
１１５、１１６    軸
３００        ＣＰＵ
【図１】
2006327793.tif 000003
【図２】
2006327793.tif 000004
【図３】
2006327793.tif 000005
【図４】
2006327793.tif 000006
【図５】
2006327793.tif 000007
【図６】
2006327793.tif 000008
【図７】
2006327793.tif 000009
【図８】
2006327793.tif 000010
【図９】
2006327793.tif 000011
【図１０】
2006327793.tif 000012
【図１１】
2006327793.tif 000013
【図１２】
2006327793.tif 000014
【図１３】
2006327793.tif 000015
【図１４】
2006327793.tif 000016
【図１５】
2006327793.tif 000017
【図１６】
2006327793.tif 000018
【図１７】
2006327793.tif 000019
【図１８】
2006327793.tif 000020
【図１９】
2006327793.tif 000021